(57)【要約】【課題】小型基地局の位置範囲を示す情報の正誤判定を自動的に行う。【解決手段】小型基地局は、自局の周辺セルのセル情報を取得し（ステップ４０１）、自局の位置範囲を示す情報が自局の正しい位置範囲を示す情報であるか否かをセル情報に基づいて判定する（ステップ４０２）。小型基地局の位置範囲を示す情報とその周辺セルのセル情報との間の既知の対応関係を用いることにより、小型基地局の位置範囲を示す情報が小型基地局の正しい位置範囲を示す情報であるか否かを自動的に判定することができる。【選択図】図４
2014239305.tif 000002
【特許請求の範囲】
【請求項１】
自局の位置範囲を示す情報を記憶する記憶手段と、
自局の周辺セルのセル情報を取得する取得手段と、
前記位置範囲を示す情報が自局の正しい位置範囲を示す情報であるか否かを前記セル情報に基づいて判定する判定手段と、
を備える小型基地局。
【請求項２】
請求項１に記載の小型基地局であって、
前記位置範囲を示す情報は、緊急エリアの識別情報である、小型基地局。
【請求項３】
請求項１又は請求項２に記載の小型基地局であって、
前記位置範囲を示す情報が自局の正しい位置範囲を示す情報でないと判定されたことを条件として無線出力を停止する停止手段を更に備える、小型基地局。
【請求項４】
請求項１乃至請求項３のうち何れか１項に記載の小型基地局であって、
前記位置範囲を示す情報が自局の正しい位置範囲を示す情報でないと判定されたことを条件として前記位置範囲を示す情報が自局の正しい位置情報を示す情報でないことをユーザに通知する通知手段を更に備える、小型基地局。
【請求項５】
小型基地局の位置範囲を示す情報と、前記小型基地局の周辺セルのセル情報を前記小型基地局から受信する受信手段と、
前記位置範囲を示す情報が前記小型基地局の正しい位置範囲を示す情報であるか否かを前記セル情報に基づいて判定する判定手段と、
を備える管理サーバ。
【請求項６】
自局の周辺セルのセル情報を取得するステップと、
自局の位置範囲を示す情報が自局の正しい位置範囲を示す情報であるか否かを前記セル情報に基づいて判定するステップと、
を備える判定方法。
【請求項７】
請求項６に記載の判定方法を小型基地局に実行させるための判定プログラム。
【発明の詳細な説明】
【技術分野】
【０００１】
本発明は小型基地局の位置範囲を示す情報の正誤判定技術に関する。
【背景技術】
【０００２】
３ＧＰＰフォーラムでは、利用者宅内、オフィス内などに設置可能な小型基地局の標準化が行なわれている。この種の小型基地局は、ユーザによって宅内や小規模オフィス等に設置され、ＡＤＳＬや光ファイバ回線等のブロードバンド回線を経由してコアネットワークに接続するように設計されている。小型基地局は、マクロセル基地局と同様の無線アクセス技術を用いて移動機に通信サービスを提供しており、小型基地局のセルに在圏する移動機からの緊急通報（１００番、１１８番、１１９番等）は、そのセルが属する緊急エリアを管轄する緊急通報受理機関（警察署、海上保安部、消防署等）に接続するようにルーティングされる。小型基地局は、例えば出荷時において、その設置が予定されている地域の該当する緊急エリアの識別情報を不揮発性メモリに記憶する。小型基地局による緊急通報のルーティングに言及した文献として、例えば、特許５１８５０７１号が知られている。
【先行技術文献】
【特許文献】
【０００３】
【特許文献１】特許第５１８５０７１号公報
【発明の概要】
【発明が解決しようとする課題】
【０００４】
しかし、小型基地局は、容易に持ち運びができるため、小型基地局に記憶されている識別情報が示す緊急エリアとは異なる緊急エリアに設置される事態が生じ得る。全国に配置されている数十万局のうち一局でもこのような事態が生じると、管轄外の緊急通報受理機関への誤報を防止するため、残りの全局について緊急エリアの識別情報の照合作業を行わなければならず、大変な負荷が発生する。
【０００５】
そこで、本発明は、このような問題を解決し、小型基地局の位置範囲を示す情報の正誤判定を自動的に行うことを課題とする。
【課題を解決するための手段】
【０００６】
上記の課題を解決するため、本発明に係る小型基地局は、自局の位置範囲を示す情報を記憶する記憶手段と、自局の周辺セルのセル情報を取得する取得手段と、自局の位置範囲を示す情報が自局の正しい位置範囲を示す情報であるか否かをセル情報に基づいて判定する判定手段とを備える。小型基地局の位置範囲を示す情報とその周辺セルのセル情報との間の既知の対応関係を用いることにより、小型基地局の位置範囲を示す情報が小型基地局の正しい位置範囲を示す情報であるか否かを自動的に判定することができる。小型基地局の位置範囲を示す情報は、例えば、緊急エリアの識別情報である。
【０００７】
本発明に係る小型基地局は、自局の位置範囲を示す情報が自局の正しい位置範囲を示す情報でないと判定されたことを条件として無線出力を停止する停止手段を更に備えてもよい。これにより、管轄外の緊急通報受理機関への誤報を防止できる。
【発明の効果】
【０００８】
本発明によれば、小型基地局の位置範囲を示す情報の正誤判定を自動的に行うことができる。
【図面の簡単な説明】
【０００９】
【図１】本実施形態に係わる移動通信システムの全体構成図である。
【図２】本実施形態に係わる小型基地局の構成を示す機能ブロック図である。
【図３】本実施形態に係わる小型基地局の制御部のハードウェア構成を示すブロック図である。
【図４】本実施形態に係わる緊急エリアの識別情報の正誤を判定する処理の流れを示すフローチャートである。
【図５】本実施形態に係わる管理サーバの構成を示す機能ブロック図である。
【図６】本実施形態に係わる緊急エリアの識別情報の正誤を判定する処理の流れを示すフローチャートである。
【発明を実施するための形態】
【００１０】
以下、各図を参照しながら本発明の実施形態について説明する。
図１は本実施形態に係わる移動通信システム１００の全体構成図である。移動通信システム１００は、小型基地局１０とその周辺のマクロセル基地局３１，３２，３３を備えており、第四世代の移動通信サービスを移動機２０に提供する。移動通信システム１００は、例えば、ＬＴＥ（Long Term Evolution）ネットワーク、ＧＳＭ（登録商標）（Global System for Mobile Communications）ネットワーク、又はＷＣＤＭＡ（登録商標）（Wideband Code Division Multiple Access）ネットワーク等によって構成される。ＬＴＥネットワークのノードの一つを構成する小型基地局１０は、ＨｅＮＢ（Home eNode B）と呼ばれており、マクロセル基地局３１，３２，３３と同様の無線アクセス技術を用いて移動機２０に通信サービス（例えば、音声パケット通信サービス、マルチメディアサービス等）を提供する。移動機２０は、例えば、スマートフォン等の高機能携帯電話機であり、ＵＥ（User Equipment）と呼ばれる。セル３１Ａ，３２Ａ，３３Ａは、それぞれ、マクロセル基地局３１，３２，３３の送信電波が届くカバレッジエリアである。セル１０Ａは、小型基地局１０の送信電波が届くカバレッジエリアであり、その範囲はセル３１Ａ，３２Ａ，３３Ａよりも小規模である。小型基地局１０は、そのセルサイズに由来して、スモールセル基地局、フェムトセル基地局、又はピコセル基地局と呼ばれることもある。同図に示す例では、セル１０Ａ，３１Ａ，３２Ａ，３３Ａは、全て共通の緊急エリア７０に属しており、どのセル１０Ａ，３１Ａ，３２Ａ，３３Ａに属する移動機２０からの緊急通報も同一の緊急通報受理機関に接続される。緊急エリア７０は、例えば、行政区画単位（市町村単位或いは２３区単位）に類似した地域範囲である。
【００１１】
小型基地局１０は、ブロードバンド回線４１を介してインターネット網４０に接続している。ブロードバンド回線４１は、例えば、非対称デジタル加入者線、光ファイバ又は同軸ケーブル等の高速データ回線である。インターネット網４０は、ＴＣＰ／ＩＰプロトコルに準拠したネットワークである。インターネット網４０は、ゲートウェイ５１を介してコアネットワーク５０に接続している。ＬＴＥネットワークのノードの一つを構成するゲートウェイ５１は、ＨｅＮＢ ＧＷ（Home eNodeB Gateway）と呼ばれている。コアネットワーク５０には、小型基地局１０を保守管理する管理サーバ５２が接続されている。管理サーバ５２は、オペレーションサポートシステムと呼ばれる管理設備であり、例えば、ＴＲ−０６９プロトコルに基づいて小型基地局１０を遠隔管理する。マクロセル基地局３１，３２，３３とコアネットワーク５０とを接続する交換機５０は、ＭＭＥ(Mobility Management Entity)と呼ばれており、移動機２０のハンドオーバーやローミングをサポートする。
【００１２】
図２は小型基地局１０の構成を示す機能ブロック図である。小型基地局１０は、移動機２０との間で電波を送受信するためのアンテナ１１と、無線信号の周波数変換及び変復調処理等を行うＲＦ処理部１２と、移動機２０の通信プロトコルとブロードバンド回線４１の通信プロトコルとの間でプロトコル変換を行うプロトコル変換部１３と、小型基地局１０の動作を制御する制御部１４と、ブロードバンド回線４１に接続する通信インタフェース１５を備える。
【００１３】
図３は小型基地局１０の制御部１４のハードウェア構成を示すブロック図である。制御部１４は、緊急エリア７０を一意に識別するための識別情報（ＥＡＩ）２００を記憶する記憶装置１４１と、識別情報２００が小型基地局１０の正しい位置範囲を示す情報であるか否かを判定するための判定プログラム３００を格納する記憶資源１４２と、判定プログラム３００を解釈及び実行するプロセッサ１４３を備える。緊急エリア７０の範囲は、小型基地局１０のセルサイズよりも広範囲であるため、緊急エリア７０を一意に識別する識別情報２００は、小型基地局１０の凡その位置範囲を示す情報としての性質を有する。記憶装置１４１は、例えば、不揮発性メモリである。記憶資源１４２は、例えば、コンピュータ読み取り可能な記録媒体（物理デバイス）が提供する記憶領域（論理デバイス）である。コンピュータ読み取り可能な記録媒体は、例えば、フレキシブルディスク、光磁気ディスク、ＲＯＭ、フラッシュメモリ等の書き込み可能な不揮発性メモリ、ＤＶＤ等の可搬媒体、コンピュータシステムに内蔵されるハードディスク等の記憶資源を含む。コンピュータ読み取り可能な記録媒体は、インターネット等のネットワークや電話回線等の通信回線を介してプログラムが送信されたときのサーバやクライアントとなるコンピュータシステム内部の揮発性メモリのように、プログラムを一時的に保持しているものも含む。また、判定プログラム３００は、伝送媒体を介して、或いは伝送媒体中の伝送波により他のコンピュータシステムに伝送されてもよい。ここで、判定プログラム３００を伝送する伝送媒体は、インターネット等のネットワークや電話回線等の通信回線のように情報を伝送する機能を有する媒体のことをいう。
【００１４】
判定プログラム３００は、小型基地局１０の周辺セル３１Ａ，３２Ａ，３３Ａのセル情報を取得する処理をプロセッサ１４３に実行させるためのソフトウェアモジュールである取得モジュール３０１と、識別情報２００が小型基地局１０の正しい位置範囲を示す情報であるか否かを周辺セル３１Ａ，３２Ａ，３３Ａのセル情報に基づいて判定する処理をプロセッサ１４３に実行させるためのソフトウェアモジュールである判定モジュール３０２と、識別情報２００が小型基地局１０の正しい位置範囲を示す情報でないと判定されたことを条件として小型基地局１０の無線出力を停止する処理をプロセッサ１４３に実行させるためのソフトウェアモジュールである停止モジュール３０３とを備える。これらのモジュール３０１，３０２，３０３は、所定のプログラミング言語で記述されたプロシージャ、サブルーチン、メソッド、関数、及びデータ構造等を組み合わせたものであり、判定プログラム３００の中で呼び出されて実行される。
【００１５】
図４は本実施形態に係わる緊急エリア７０の識別情報２００の正誤を判定する処理の流れを示すフローチャートである。
ステップ４０１では、取得モジュール３０１は、ＲＦ処理部１２のリスニング機能を用いて周辺電波をサーチし、周辺セル３１Ａ，３２Ａ，３３Ａのセル情報を取得する。マクロセル基地局３１，３２，３３からは、移動機２０のリセレクション（位置登録更新）やハンドオーバーに必要な周辺のセル情報がブロードキャストチャネルを通じて報知されているため、取得モジュール３０１は、移動機２０が自ら取得した周辺セル３１Ａ，３２Ａ，３３Ａのセル情報を移動機２０から取得してもよい。セル情報には、その基地局の周辺に位置する基地局のセルの識別子、基地局送信周波数、プライオリティ、及び無線方式種別が含まれている。
【００１６】
ステップ４０２では、判定モジュール３０２は、識別情報２００が小型基地局１０の正しい位置範囲を示す情報であるか否かを周辺セル３１Ａ，３２Ａ，３３Ａのセル情報に基づいて判定する。小型基地局１０は、移動可能であるのに対し、マクロセル基地局３１，３２，３３は、その位置が固定されているため、周辺セル３１Ａ，３２Ａ，３３Ａのセル情報と緊急エリア７０の識別情報２０との対応関係は既知である。このような既知の対応関係を用いて、識別情報２００と周辺セル３１Ａ，３２Ａ，３３Ａのセル情報とを対比することにより、識別情報２００が小型基地局１０の正しい位置範囲を示す情報であるか否かを判定できる。但し、見通しのよい地域では、遠方のマクロセル基地局のセル情報を小型基地局１０が受信してしまうことがあるため、小型基地局１０は、受信したセル情報の総数（周辺セルのセル情報の数と遠方のセルのセル情報の数の和）に対する割合が閾値以上の数を有するセル情報を用いて、識別情報２００が小型基地局１０の正しい位置範囲を示す情報であるか否かを判定してもよい。
【００１７】
ステップ４０３では、停止モジュール３０３は、小型基地局１０の無線出力を停止する。これにより、管轄外の緊急通報受理機関への誤報を防止できる。識別情報２００が小型基地局１０の正しい位置範囲を示す情報でないと判定されたときは、その旨を管理サーバ５２にアラーム通知し、識別情報２００の書き換え作業を通信事業者に促してもよい。
【００１８】
制御部１４は、識別情報２００が小型基地局１０の正しい位置範囲を示す情報でない旨を小型基地局１０のユーザに通知する通知装置１４４を備えてもよい。判定プログラム３００は、識別情報２００が小型基地局１０の正しい位置範囲を示す情報でないと判定されたことを条件として、通知装置１４４を駆動し、識別情報２００が小型基地局１０の正しい位置範囲を示す情報でない旨をユーザに通知する処理をプロセッサ１４３に実行させるためのソフトウェアモジュールである通知モジュール３０４を更に備えてもよい。通知装置１４４は、点灯の有無、点灯の仕方、及び点灯色の組み合わせ等によりユーザへの通知処理を行う発光ダイオード、メッセージ表示等によりユーザへの通知処理を行うディスプレイ、警報音によりユーザへの通知処理を行う警報音発生器、又は、振動の有無、及び振動の仕方によりユーザへの通知処理を行う振動器である。
【００１９】
制御部１４は、小型基地局１０の位置測位を行う測位装置１４５を備えてもよい。判定モジュール３０２は、識別情報２００と周辺セル３１Ａ，３２Ａ，３３Ａのセル情報との対比のみでは、識別情報２００が小型基地局１０の正しい位置範囲を示す情報であるか否かを十分な精度で判定できないときに、測位装置１４５を用いて小型基地局１０の正確な位置情報を取得し、識別情報２００が小型基地局１０の正しい位置範囲を示す情報であるか否かを十分な精度で判定する処理をプロセッサ１４３に実行させてもよい。測位装置１４５は、例えば、ＧＰＳ衛生信号から小型基地局１０の位置を割り出すＧＰＳ受信機でもよく、或いはＷｉＦｉ（登録商標）規格に基づくＩＥＥＥ８０２．１１シリーズ（例えば、８０２．１１ｂ、８０２．１１ｇ等）に準拠した無線ＬＡＮアクセスポイントから取得した電測情報（電波受信強度とＭＡＣアドレス）に基づいて小型基地局１０の位置を割り出す装置でもよい。
【００２０】
判定プログラム３００は、識別情報２００が小型基地局１０の正しい位置範囲を示す情報でないと判定されたことを条件として、識別情報２００が小型基地局１０の正しい位置範囲を示すように書き換える処理をプロセッサ１４３に実行させるためのソフトウェアモジュールである更新モジュール３０５を更に備えてもよい。
【００２１】
なお、各モジュール３０１〜３０５の機能は、必ずしもソフトウェアモジュールによって実現される必要はなく、これらの機能の一部又は全部は、小型基地局１０のハードウェアモジュール（例えば、特定用途向け集積回路（ＡＳＩＣ））によって実現されてもよい。
【００２２】
上述の説明では、識別情報２００が小型基地局１０の正しい位置範囲を示す情報であるか否かを小型基地局１０が自ら判定する例を示したが、管理サーバ５２がこの判定処理を実施してもよい。図５は、このような判定処理を実行する管理サーバ５２の構成を示す機能ブロック図である。管理サーバ５２は、コアネットワーク５０及びインターネット網４０を介して小型基地局１０に接続する通信インタフェース５２１と、識別情報２００が小型基地局１０の正しい位置範囲を示す情報であるか否かを判定するための判定プログラム５００を格納する記憶資源５２２と、判定プログラム５００を解釈及び実行するプロセッサ５２３を備える。
【００２３】
判定プログラム５００は、小型基地局１０の記憶装置１４１に記憶されている識別情報２００と、小型基地局１０が取得した周辺セル３１Ａ，３２Ａ，３３Ａのセル情報とを小型基地局１０から受信する処理をプロセッサ５２３に実行させるためのソフトウェアモジュールである受信モジュール５０１と、識別情報２００が小型基地局１０の正しい位置範囲を示す情報であるか否かを周辺セル３１Ａ，３２Ａ，３３Ａのセル情報に基づいて判定する処理をプロセッサ５２３に実行させるためのソフトウェアモジュールである判定モジュール５０２と、識別情報２００が小型基地局１０の正しい位置範囲を示す情報でないと判定されたことを条件として小型基地局１０の無線出力停止を小型基地局１０に指示する処理をプロセッサ５２３に実行させるためのソフトウェアモジュールである停止モジュール５０３とを備える。これらのモジュール５０１，５０２，５０３は、所定のプログラミング言語で記述されたプロシージャ、サブルーチン、メソッド、関数、及びデータ構造等を組み合わせたものであり、判定プログラム５００の中で呼び出されて実行される。
【００２４】
図６は本実施形態に係わる緊急エリア７０の識別情報２００の正誤を判定する処理の流れを示すフローチャートである。
ステップ６０１では、受信モジュール５０１は、小型基地局１０に記憶されている識別情報２００と、小型基地局１０が取得した周辺セル３１Ａ，３２Ａ，３３Ａのセル情報とを通信インタフェース５２１を介して小型基地局１０から受信する。
ステップ６０２では、判定モジュール５０２は、周辺セル３１Ａ，３２Ａ，３３Ａのセル情報と緊急エリア７０の識別情報２０との間の既知の対応関係を利用して、識別情報２００が小型基地局１０の正しい位置範囲を示す情報であるか否かを周辺セル３１Ａ，３２Ａ，３３Ａのセル情報に基づいて判定する。
ステップ６０３では、停止モジュール５０３は、小型基地局１０の無線出力の停止を小型基地局１０に指示する。これにより、管轄外の緊急通報受理機関への誤報を防止できる。識別情報２００が小型基地局１０の正しい位置範囲を示す情報でないと判定されたことを条件として、管理サーバ５２は、その旨をアラーム通知し、識別情報２００の書き換え作業を通信事業者に促してもよい。
【００２５】
なお、判定プログラム５００は、識別情報２００が小型基地局１０の正しい位置範囲を示す情報でないと判定されたことを条件として、通知装置１４４の駆動を小型基地局１０に指示することにより、識別情報２００が小型基地局１０の正しい位置範囲を示す情報でない旨をユーザに通知する処理をプロセッサ５２３に実行させるためのソフトウェアモジュールである通知モジュール５０４を更に備えてもよい。
【００２６】
また、判定プログラム５００は、識別情報２００が小型基地局１０の正しい位置範囲を示す情報でないと判定されたことを条件として、識別情報２００が小型基地局１０の正しい位置範囲を示すように遠隔操作で識別情報２００を書き換える処理をプロセッサ５２３に実行させるためのソフトウェアモジュールである更新モジュール５０５を更に備えてもよい。
【００２７】
本実施形態によれば、緊急エリア７０の識別情報２００が小型基地局１０の正しい位置範囲を示す情報であるか否かを小型基地局１０又は管理サーバ５２の何れか一方により自動的に判定することが可能になるため、識別情報２００を人為的な作業で照合するよりも確実にミスを低減することができる。
【符号の説明】
【００２８】
１０…小型基地局  １０Ａ…セル  ２０…移動機  ３１，３２，３３…マクロセル基地局  ３１Ａ，３２Ａ，３３Ａ…セル  ５２…管理サーバ
【図１】
2014239305.tif 000003
【図２】
2014239305.tif 000004
【図３】
2014239305.tif 000005
【図４】
2014239305.tif 000006
【図５】
2014239305.tif 000007
【図６】
2014239305.tif 000008